(57)【要約】【課題】  全体のコストダウンを図るとともに、様々な皮膚疾患の治療又は予防に対する一定の補助効果を確保し、かつ装着時の快適性（肌触り性）を確保する。【解決手段】  使用者Ｈの下着Ｃの内面Ｃｉに貼付けることにより、使用者Ｈの皮膚疾患部位（皮膚疾患可能性部位を含む。以下、同じ）Ｘｗを覆う皮膚保護シートを構成するに際して、不織布素材により形成したシート材Ｓの、所定方向Ｆｍにおける複数の位置で、当該所定方向Ｆｍに交差する二回の折り返しによる三層面部Ｋ…をそれぞれ形成し、かつ糸材４により所定方向Ｆｍへ縫合した縫合部５…を、当該所定方向Ｆｍに交差する方向Ｆｓに、所定間隔おきに設けることにより、ギャザー状に構成した保護シート本体部２と、この保護シート本体部２の一方の面２ｒに、当該保護シート本体部２を下着Ｃの内面Ｃｉに着脱可能にする一又は二以上のシート貼付部３…とを備える。【選択図】  図１
2018191826.tif 000002
【特許請求の範囲】
【請求項１】
使用者の下着の内面に貼付けることにより使用者の皮膚疾患部位（皮膚疾患可能性部位を含む。以下、同じ）を保護する皮膚保護シートであって、不織布素材により形成したシート材の、所定方向における複数の位置で、当該所定方向に交差する複数回の折り返しによる複層面部をそれぞれ形成し、かつ糸材により前記所定方向へ縫合した縫合部を、当該所定方向に交差する方向に、所定間隔おきに設けることにより、ギャザー状に構成した保護シート本体部と、この保護シート本体部の一方の面に、当該保護シート本体部を下着の内面に着脱可能にする一又は二以上のシート貼付部とを備えてなることを特徴とする皮膚保護シート。
【請求項２】
前記糸材は、一つの糸メンバ又は二つの糸メンバからなり、少なくとも一つの糸メンバは、ゴム糸を含むことを特徴とする請求項１記載の皮膚保護シート。
【請求項３】
前記皮膚疾患部位には、少なくとも尻部の床擦れが生じる部位を含むことを特徴とする請求項１又は２記載の皮膚保護シート。
【請求項４】
前記シート材は、一枚又は二枚以上を重ね合わせて使用することを特徴とする請求項１又は２記載の皮膚保護シート。
【発明の詳細な説明】
【技術分野】
【０００１】
本発明は、使用者の下着の内面に貼付けることにより使用者の皮膚疾患部位又は皮膚疾患可能性部位）を保護する皮膚保護シートに関する。
【背景技術】
【０００２】
一般に、病気や怪我等により長期間仰向けに寝た場合、いわゆる床擦れによる皮膚疾患を生じやすいとともに、肌着が皮膚に密着したような場合、いわゆる蒸れによる汗疹等の皮膚疾患も生じやすい。したがって、下着の内面と皮膚疾患部位間に、皮膚疾患の治療又は予防に一定の補助効果のある媒体物を介在させることも有効であり、既に、そのための媒体物も提案されている。
【０００３】
従来、このような媒体物としては、特許文献１で開示される床擦れ防止用マットが知られている。この床擦れ防止用マットは、遠赤外線放射繊維を含有したウェブ又は布帛を、腰部及び尻部回りに当接しうる形状、具体的には、尾てい骨の当接する中央下部を切欠するようにした形状であって、おむつカバー又はパンツの背面内部に取着できるようにしたものである。
【先行技術文献】
【特許文献】
【０００４】
【特許文献１】実開平３−２７２３４号公報
【発明の概要】
【発明が解決しようとする課題】
【０００５】
しかし、上述した従来の床擦れ防止用マットは、次のような問題点があった。
【０００６】
第一に、同マットは、遠赤外線放射繊維を含有したウェブ又は布帛を用いて構成するため、材料費を含む全体の製作費（イニシャルコスト）が高くなりやすいとともに、おむつカバー又はパンツの背面内部に取着するなど、汚れやすい環境で使用するため、衛生面の要求から一回毎に取換える必要があり、ランニングコストも高くなりやすいなど、全体における大幅なコストアップが無視できない。
【０００７】
第二に、遠赤外線効果を期待する特定の治療媒体となるため、様々な皮膚疾患の治療又は予防において、どの程度の効果が期待できるのか保証されにくく汎用性に難があるとともに、皮膚疾患によっては返って症状を悪化させることも考えられる。しかも、通気性（肌に対する非接触性）を確保する観点からは、必ずしも十分に考慮されていないとともに、装着時の快適性（肌触り性）を確保する観点からも、必ずしも十分に配慮されているとは云えない。
【０００８】
本発明は、このような背景技術に存在する課題を解決した皮膚保護シートの提供を目的とするものである。
【課題を解決するための手段】
【０００９】
本発明に係る皮膚保護シート１は、上述した課題を解決するため、使用者Ｈの下着Ｃの内面Ｃｉに貼付けることにより使用者Ｈの皮膚疾患部位（皮膚疾患可能性部位を含む。以下、同じ）Ｘｗを保護する皮膚保護シートを構成するに際して、不織布素材により形成したシート材Ｓの、所定方向Ｆｍにおける複数の位置で、当該所定方向Ｆｍに交差する複数回の折り返しによる複層面部Ｋ…をそれぞれ形成し、かつ糸材４により所定方向Ｆｍへ縫合した縫合部５…を、当該所定方向Ｆｍに交差する方向Ｆｓに、所定間隔おきに設けることにより、ギャザー状に構成した保護シート本体部２と、この保護シート本体部２の一方の面２ｒに、当該保護シート本体部２を下着Ｃの内面Ｃｉに着脱可能にする一又は二以上のシート貼付部３…とを備えてなることを特徴とする。
【００１０】
この場合、発明の好適な態様により、糸材４は、一つの糸メンバ４ａ又は二つの糸メンバ４ａ，４ｂにより構成し、少なくとも一つの糸メンバ４ａには、ゴム糸４ａｒを含ませることができる。また、皮膚疾患部位Ｘｗには、少なくとも尻部Ｈｈの床擦れが生じる部位を含ませることができる。さらに、シート材Ｓは、一枚又は二枚以上を重ね合わせて使用することができる。
【発明の効果】
【００１１】
このような構成を有する本発明に係る皮膚保護シート１によれば、次のような顕著な効果を奏する。
【００１２】
（１）  不織布素材により形成したシート材Ｓの、所定方向Ｆｍにおける複数の位置で、当該所定方向Ｆｍに交差する複数回の折り返しによる複層面部Ｋ…をそれぞれ形成し、かつ糸材４により所定方向Ｆｍへ縫合してなる保護シート本体部２を備えて構成したため、材料費を含む全体の製作費（イニシャルコスト）の削減を図れるとともに、使い捨て可能にした場合であってもランニングコストの削減を図れるなど、全体の大幅なコストダウンを実現できる。
【００１３】
（２）  保護シート本体部２は、不織布素材を用いたシート材Ｓによりギャザー状に構成してなるため、皮膚疾患部位Ｘｗと下着Ｃの内面Ｃｉ間に良好な通気空間が生じ、肌に対する非接触性を高めることができる。この結果、皮膚表面における様々な疾患の治療又は予防に対する一定の補助効果を享受可能となり、より汎用性を高めることができる。加えて、ギャザー態様による装着時の快適性（肌触り性）もより高めることができる。
【００１４】
（３）  好適な態様により、糸材４を、一つの糸メンバ４ａ又は二つの糸メンバ４ａ，４ｂにより構成し、少なくとも一つの糸メンバ４ａに、ゴム糸４ａｒを含ませれば、必要な伸縮性を確保できるため、皮膚疾患部位Ｘｗが使用者Ｈの屈曲部位等に生じた場合であっても屈曲動作を阻害することなく快適に使用することができる。
【００１５】
（４）  好適な態様により、皮膚疾患部位Ｘｗに、少なくとも尻部Ｈｈの床擦れが生じる部位を含ませれば、従来より床擦れに対して主に行われていた湿潤療法に代わる有効性の高い治療又は予防に係わる補助効果を享受することができる。
【００１６】
（５）  好適な態様により、シート材Ｓの枚数を任意に選択し、一枚又は二枚以上を重ね合わせて使用できるため、装着時の快適性（肌触り性）の度合とコスト性の度合を容易に調整できるとともに、商品グレード等の多様化にも容易に対応することができる。
【図面の簡単な説明】
【００１７】
【図１】本発明の好適実施形態に係る皮膚保護シートを尻部に使用した状態を示す側面断面図、
【図２】同皮膚保護シートを尻部に使用した状態を示す背面図、
【図３】同皮膚保護シートの背面図、
【図４】同皮膚保護シートの図３中の囲い線Ａ部の拡大図、
【図５】同皮膚保護シートにおける縫合部の一部断面拡大側面図、
【図６】同皮膚保護シートの変更例に係る縫合部の一部断面拡大側面図、
【図７】同皮膚保護シートの使用方法説明図、
【図８】同皮膚保護シートを使用する前の床擦れ部位の写真、
【図９】同皮膚保護シートを６日間使用後の図８における床擦れ部位の写真、
【発明を実施するための形態】
【００１８】
次に、本発明に係る好適実施形態を挙げ、図面に基づき詳細に説明する。
【００１９】
まず、本実施形態に係る皮膚保護シート１の使用部材及び製作方法を含む全体の構成について、図１〜図６を参照して説明する。
【００２０】
例示する皮膚保護シート１は、使用者Ｈの尻部Ｈｈにおける床擦れの治療又は防止を想定したものであり、図３に示すように、基本的な構成として、全体が横長となる矩形状の保護シート本体部２と、この保護シート本体部２を、使用者Ｈの下着Ｃの内面Ｃｉに対して着脱可能にするシート貼付部３…を備える。
【００２１】
保護シート本体部２は、不織布素材により形成したシート材Ｓの、所定方向Ｆｍにおける複数の所定位置で、当該所定方向Ｆｍに交差する二回の折り返しによる三層面部Ｋ…をそれぞれ形成し、かつ糸材４により所定方向Ｆｍへ縫合した縫合部５…を、当該所定方向Ｆｍに交差する方向Ｆｓに、所定間隔おきに設けることにより、ギャザー状に構成（製作）する。
【００２２】
シート材Ｓに用いる不織布素材は、特定の素材に限定されるものではないが、低コスト性に優れ、かつ肌触り性の良好な不織布素材が望ましい。一例としては、レンゴー・ノンウーブン・プロダクツ株式会社製のサーマルボンド不織布（商品名）を用いることができる。この製品は、原綿として、プラスチック短繊維をノーバインダーかつ熱融着により不織布に加工したものであり、衛生的かつ柔軟性にも優れる利点がある。
【００２３】
また、保護シート本体部２を構成するシート材Ｓ…の使用枚数は、図５に示すように一枚であってもよいし、或いは、図６に示すように、重ね合わせた二枚のシート材Ｓ，Ｓであってもよい。さらに、必要に応じて、三枚以上を重ね合わせてもよい。このように、シート材Ｓ…の使用枚数は任意に選択できる。したがって、装着時の快適性（肌触り性）の度合とコスト性の度合を容易に調整できるとともに、商品グレード等の多様化にも容易に対応できる利点がある。
【００２４】
一方、縫合部５…には、二つの糸メンバ４ａ，４ｂを使用する。具体的には、使用者Ｈの皮膚に接触しない保護シート本体部２の肌非接触面２ｒに配するゴム糸４ａｒと、このゴム糸４ａｒを保護シート本体部２に縫い付ける木綿糸等の天然繊維糸４ｂｎを使用する。したがって、ゴム糸４ａｒ（糸メンバ４ａ）と天然繊維糸４ｂｎ（糸メンバ４ｂ）の組合わせが本実施形態で使用する糸材４となる。
【００２５】
糸材４を縫付けるに際しては、ゴム糸４ａｒ又は天然繊維糸４ｂｎの一方を上糸とし、他方を下糸として、ミシン等の不図示の縫合機により縫合することができる。したがって、縫合するに際しては、まず、ゴム糸４ａｒと天然繊維糸４ｂｎを縫合機に装填する。そして、シート材Ｓを縫合機にセットし、シート材Ｓの所定方向（図３中、横方向）Ｆｍにおける複数の所定位置において、当該所定方向Ｆｍに交差する折線を有する二回の折り返しを行い、各所定位置において三層面部Ｋ…を形成するとともに、この状態を糸材４により縫合する。縫合する方向は所定方向Ｆｍとなり、これにより、各所定位置に縫合部５…が設けられる。
【００２６】
この場合、図４及び図５に示すように、保護シート本体部２（シート材Ｓ）における肌非接触面２ｒにゴム糸４ａｒが配され、かつ非接触面２ｒに対して反対面となる肌接触面２ｐに天然繊維糸４ｂｎが露出する。例示の場合、この縫合部５は、保護シート本体部２における所定方向Ｆｍへ所定間隔おきに計九本設けている（図３参照）。これにより、保護シート本体部２は、ゴム糸４ａｒにより所定方向Ｆｍに交差する方向Ｆｓ（図３中、縦方向）に弾性伸縮可能になる。この際、伸張時の長さは、伸張前（引張る前）の長さに対して、概ね１．５倍程度伸張できるように設定することが望ましい。
【００２７】
このように、縫合部５…を設けるに際し、糸材４を、二つの糸メンバ４ａ，４ｂにより構成し、少なくとも一つの糸メンバ４ａに、ゴム糸４ａｒを含ませれば、必要な伸縮性を確保できるため、皮膚疾患部位Ｘｗが使用者Ｈの屈曲部位等に生じた場合であっても屈曲動作を阻害することなく快適に使用できる利点がある。
【００２８】
特に、好適な態様として、保護シート本体部２の非接触面２ｒに配する糸メンバ４ａにゴム糸４ａｒを使用し、このゴム糸４ａｒを保護シート本体部２に縫合する糸メンバ４ｂに天然繊維糸４ｂｎを使用すれば、必要な伸縮性を確保しつつ、ゴム糸４ａｒが使用者Ｈの皮膚に直接当たる不具合を回避できる。なお、糸材４として、二つの糸メンバ４ａ，４ｂを使用する場合を例示したが、一つの糸メンバ４ａのみを用いてもよく、この場合、一つの糸メンバ４ａにはゴム糸４ａｒを用いることができる。
【００２９】
なお、縫合部５…を設けたなら、必要により、保護シート本体部２（シート材Ｓ）を一対の平坦板の間に挟んで面直角方向に加圧処理してもよい。これにより、シート材Ｓの弛んだ部分は押し潰され、図５に示すように、折り返した部分は潰れた状態となる。即ち、全体がギャザー状かつシート状に形成される。
【００３０】
他方、シート貼付部３…は、保護シート本体部２を下着Ｃの内面Ｃｉに対して着脱させる機能を備える。したがって、図１及び図３に示すように、保護シート本体部２における肌非接触面２ｒにおける４隅近傍に円形の両面接着テープ３ｓ…を貼付けて構成できる。この両面接着テープ３ｓ…は、直径２０〔ｍｍ〕前後に形成し、使用するまでは、各両面接着テープ３ｓ…に剥離紙を貼り付けた状態にする。
【００３１】
このように、本実施形態に係る皮膚保護シート１は、基本構成として、不織布素材により形成したシート材Ｓの、所定方向Ｆｍにおける複数の位置で、当該所定方向Ｆｍに交差する二回の折り返しによる三層面部Ｋ…をそれぞれ形成し、かつ糸材４により所定方向Ｆｍへ縫合した縫合部５…を、当該所定方向Ｆｍに交差する方向Ｆｓに、所定間隔おきに設けることにより、ギャザー状に構成した保護シート本体部２と、この保護シート本体部２の一方の面２ｒに、当該保護シート本体部２を下着Ｃの内面Ｃｉに着脱可能にする一又は二以上のシート貼付部３…とを備えてなるため、材料費を含む全体の製作費（イニシャルコスト）の削減を図れるとともに、使い捨て可能にした場合であってもランニングコストの削減を図れるなど、全体の大幅なコストダウンを実現できる。
【００３２】
次に、本実施形態に係る皮膚保護シート１の使用方法及び機能（作用）について、図７〜図９を参照して説明する。
【００３３】
まず、皮膚保護シート１を使用する際には、使用者Ｈの下着Ｃの内面Ｃｉに貼付けて使用する。なお、図７に示すように、本実施形態では、下着Ｃとして、パンツを例示するとともに、例示する皮膚保護シート１は、使用者Ｈの尻部Ｈｈに生じる床擦れの治療（又は防止）を目的として使用する。
【００３４】
皮膚保護シート１を使用する際には、準備した皮膚保護シート１における４個所の両面接着テープ３ｓ…に貼付けられている剥離紙を剥がす。そして、図７に矢印Ｆｕで示すように、下着Ｃの背側に位置する内面Ｃｉに、両面接着テープ３ｓ…を貼付け、皮膚保護シート１を固定する。この場合、図１及び図２に示すように、保護シート本体部２の肌接触面２ｐが、使用者Ｈの尻部Ｈｈ、即ち、床擦れが生じた皮膚疾患部位Ｘｗを覆うことができるように、その貼付位置を選定する。以上により、皮膚保護シート１の貼付け（取付け）が終了する。このように、皮膚保護シート１の取付けは、きわめて容易かつ短時間に行うことができる。
【００３５】
一方、使用者Ｈは、皮膚保護シート１を取付けた下着Ｃ（パンツ）を通常の手順に従って身体に装着すれば、図１及び図２に示すように、保護シート本体部２の肌接触面２ｐが使用者Ｈにおける床擦れの生じた皮膚疾患部位Ｘｗを覆う。したがって、図１に示すように、使用者ＨがベッドＢ等の上で仰向けに寝た場合であっても、床擦れが生じた皮膚疾患部位Ｘｗと下着Ｃの内面Ｃｉ間に保護シート本体部２が介在することになる。
【００３６】
この場合、保護シート本体部２は、不織布素材によるシート材Ｓによりギャザー状に構成されるため、皮膚疾患部位Ｘｗと下着Ｃの内面Ｃｉ間に良好な通気空間が生じ、肌に対する非接触性をより高めることができる。この結果、皮膚表面における様々な疾患の治療又は予防に対する一定の補助効果を享受できることになり、より汎用性を高めることができるとともに、ギャザー態様による装着時の快適性（肌触り性）もより高めることができる。
【００３７】
図８及び図９は、本実施形態に係る皮膚保護シート１の作用効果を示すための写真である。被験者は、「要介護５」の寝たきり状態にある８４歳の女性であり、本人と施設の協力を得て撮影した。なお、使用条件としては、おむつ交換を１日５回行うため、このおむつ交換に合わせて皮膚保護シート１の交換も一緒に行った。皮膚保護シート１は使い捨てとし、使用後の皮膚保護シート１は廃棄した。
【００３８】
図８は、皮膚保護シート１を使用する前における床擦れを生じた尻部の皮膚表面の写真を示す。このときの皮膚表面における「赤み」及び「ただれ」は比較的酷い状態まで進行していることを確認できる。
【００３９】
一方、図９は、皮膚保護シート１を使用した６日間後における尻部の皮膚表面の写真を示す。このときの皮膚表面における「赤み」及び「ただれ」はかなり改善していることを確認できる。また、皮膚保護シート１の使用開始後、２日目からは、臭いが抑えられたこと、ジメジメした皮膚表面がサラッとした状態に改善したこと、なども確認できた。
【００４０】
このように、６日間の使用であっても皮膚保護シート１を使用したことによる改善がみられた。この理由は、通気空間が確保されることによる床擦れに対する治癒作用が有効に働いたものと考えられる。このように、皮膚疾患部位Ｘｗに、少なくとも尻部Ｈｈの床擦れが生じる部位を含ませれば、従来より床擦れに対して主に行われていた湿潤療法に代わる有効性の高い治療又は予防に係わる補助効果を享受できる利点がある。
【００４１】
以上、好適実施形態について詳細に説明したが、本発明は、このような実施形態に限定されるものではなく、細部の構成，形状，素材，数量，手法等において、本発明の要旨を逸脱しない範囲で、任意に変更，追加，削除することができる。
【００４２】
例えば、シート材Ｓは、一枚又は二枚以上組合わせることができるが、一枚（又は二枚以上）のシート材Ｓ…に他の素材（一般紙等）により形成したシート部材を組み合わせる態様を排除するものではない。また、糸メンバ４ｂとして天然繊維糸４ｂｎ…を用いた場合を例示したが、化学繊維糸などの他の糸類の使用を排除するものではない。さらに、所定方向Ｆｍに対して交差する折り返しとは、直角に交差することは勿論のこと、各種角度により傾斜して交差する場合を含む概念である。
【００４３】
一方、下着Ｃには、例示したパンツをはじめ、使用者Ｈの皮膚疾患部位Ｘｗに直接対面する各種下着類を適用できる。したがって、おむつ等も本発明を適用する下着Ｃに含まれる。また、皮膚疾患部位Ｘｗには、尻部Ｈｈの床擦れを例示したが、汗疹等の皮膚に生じる各種疾患をはじめ、怪我による皮膚の傷等、保護を必要としている様々な皮膚状態を含む概念である。さらに、皮膚疾患可能性部位（Ｘｗ）とは、現在は皮膚疾患が生じていないが、いずれ皮膚疾患が生じる可能性が高い部位の概念である。したがって、この場合、皮膚保護シート１は、予防対策として使用することができる。なお、使用者Ｈとして、被介護者を挙げたが、怪我等により病院に入院してベッドで寝ている状態の一般成人、或いは汗疹等の予防として通常の起きている状態の一般人なども適用できる。
【００４４】
他方、シート貼付部３…は、４個所に設けた場合を例示したが、テープ状に形成したシート貼付部３…の場合には、上下二個所に設けることができるとともに、枠状に形成したシート貼付部３の場合には、一個所で足りる。したがって、シート貼付部３…の数量は任意である。また、実施形態で例示するように、所定方向Ｆｍに交差する二回の折り返しによる三層面部Ｋ…を形成することが望ましいが、必要により、所定方向Ｆｍに交差する複数回の折り返しによる複層面部Ｋ…を形成することもできる。
【産業上の利用可能性】
【００４５】
本発明に係る皮膚保護シートは、使用者の皮膚疾患部位を保護することにより、様々な皮膚疾患の治療又は予防に対する一定の補助効果を期待できる各種用途に利用できる。
【符号の説明】
【００４６】
１：皮膚保護シート，２：保護シート本体部，２ｒ：保護シート本体部の一方の面（非接触面），３…：シート貼付部，４：糸材，４ａ：糸メンバ，４ｂ：糸メンバ，４ａｒ：ゴム糸，５…：縫合部，Ｈ：使用者，Ｈｈ：尻部，Ｃ：下着，Ｃｉ：下着の内面，Ｘｗ：皮膚疾患部位，Ｓ：不織布素材により形成したシート材，Ｆｍ：所定方向，Ｆｓ：所定方向に交差する方向，Ｋ…：複層面部（三層面部）
【図１】
2018191826.tif 000003
【図２】
2018191826.tif 000004
【図３】
2018191826.tif 000005
【図４】
2018191826.tif 000006
【図５】
2018191826.tif 000007
【図６】
2018191826.tif 000008
【図７】
2018191826.tif 000009
【図８】
2018191826.tif 000010
【図９】
2018191826.tif 000011